(57)【要約】【課題】  現金自動預け払い機における利用者の使用中のタッチパネルの盗写を防止して利用者等への被害を防止する現金自動預け払い機における盗写防止装置を提供する。【解決手段】  現金自動預け払い機５０にはそのタッチパネル９を覆う現金自動預け払い機５０における盗写防止装置１００が適用され、その覆体１によりタッチパネル９の操作は盗写防止される。また、覆体１に隠しカメラが設置されていても覆体に近接当接してその一端側から他端に向かって自走するスライド体２が設けられているため覆体１に設置した隠しカメラ等も発生され除去される。【選択図】  図１
0003128253.tif 000002
【実用新案登録請求の範囲】
【請求項１】
タッチパネル操作により金銭等の受理や送金等の手続をすべく銀行等に設置される現金自動預け払い機の前記タッチパネル操作時における盗写（スキミング）を防止するための盗写防止装置であって、該装置は、利用者のタッチパネルの操作を妨害しない程度の間隙を介して前記タッチパネルを覆って配置される覆体と、該覆体の表裏面に近接又は当接して配置され前記覆体の一端から他端まで往復動すべく前記覆体に取り付けられているスライド体と、該スライド体の自走手段とを設けることを特徴とする現金自動預け払い機における盗写防止装置。
【請求項２】
前記覆体の上面には、盗写用機械の光等の透過を防止し得る機能の透明体が一体的に設けられることを特徴とする請求項１に記載の現金自動預け払い機における盗写防止装置。
【考案の詳細な説明】
【技術分野】
【０００１】
本考案は、銀行等に設置されている現金自動預け払い機のタッチパネル面を覆って利用者によるタッチパネル操作時における他人の盗写を確実に防止できる現金自動預け払い機における盗写防止装置に関する。
【背景技術】
【０００２】
銀行等に設置されている現金自動預け払い機は、例えば、「特許文献１」に示すものが一般的であり、この機械の利用者はそのタッチパネル面のタッチ操作によって現金の受理や送金や預け入れ等を行なって目的を果す。この場合において最も重要な動作としては利用者の暗証番号をタッチパネルに入力することであり、当然ながらこの暗証番号を他人に知られることがあってはならない。
しかしながら、最近ではこの暗証番号等を秘密裏に盗写する犯罪が多発している。
【０００３】
その盗写手段としては色々のものがあるが、主に現金自動預け払い機のどこかに隠しカメラを設置してリモートコントロールしたり、現金自動預け払い機から離れた遠隔位置からタッチパネルを盗写するもの等がある。現金自動預け払い機としては多くの人々が便利に使用するものであり、タッチパネルを不利用時には完全に覆して使用する時のみ盗写されないようにその覆いを除く操作も考えられるが極めて不便である。
【特許文献１】特開２００５−２６６８４７号（図１）
【考案の開示】
【考案が解決しようとする課題】
【０００４】
図５（ａ），（ｂ）は盗写防止手段の１つを示すものである。この場合の盗写手段としては現金自動預け払い機５０の段付き部１９に隠しカメラ２０を設置したものであり、この隠しカメラ２０のリモートコントロールによりタッチパネル９の利用者のタッチ動作を盗写することができる。これを防止する手段の１つとして図５（ｂ）に示すものが挙げられる。この盗写防止手段としてはタッチパネル９を覆う位置に往復動自在のカーテン２１を設けるものであり、タッチパネル操作時にはカーテン２１を手前に引いてタッチパネル面を塞ぎ、隠しカメラ２０による盗写を防止するものである。
【０００５】
図５（ｂ）に示すカーテン２１により、盗写はかなり防止されるが、このカーテン２１の引き出しのため利用者の片手が使用されるため、タッチパネル操作が円滑に、かつ正確にできない問題点がある。また、隠しカメラ２０の設置位置は図５（ａ）の部分に限らず、各所の秘密場所に設置されるため、このカーテン２１による盗写防止は完全ではない。
【０００６】
本考案の以上の事情に鑑みて考案されたものであり、タッチパネル操作の盗写がほぼ完全に防止されると共に比較的簡便安価に実施できる現金自動預け払い機における盗写防止装置を提供することを目的とする。
【課題を解決するための手段】
【０００７】
本考案は、以上の目的を達成するために、請求項１の考案は、タッチパネル操作により金銭等の受理や送金等の手続をすべく銀行等に設置される現金自動預け払い機の前記タッチパネル操作時における盗写（スキミング）を防止するための盗写防止装置であって、該装置は、利用者のタッチパネルの操作を妨害しない程度の間隙を介して前記タッチパネルを覆って配置される覆体と、該覆体の表裏面に近接又は当接して配置され前記覆体の一端から他端まで往復動すべく前記覆体に取り付けられているスライド体と、該スライド体の自走手段とを設けることを特徴とする。
【０００８】
また、請求項２の考案は、前記覆体の上面には、盗写用機械の光等の透過を防止し得る機能の透明体が一体的に設けられることを特徴とする。
【考案の効果】
【０００９】
本考案の請求項１の現金自動預け払い機における盗写防止装置によれば、タッチパネルを覆体で完全に覆うと共にこれにスライド体を設けて往復動させるため仮りに覆体に隠しカメラが設置されていてもスライド体によって簡単に発見される。また、覆体以外の場所に仮りに隠しカメラが設置されても覆体によって完全に防止される。なお、覆体は利用者のタッチパネルの操作を妨害しない程度の間隙を介して設置されるため、隠しカメラを設置するスペースがない。また、盗写防止装置は現金自動預け払い機に取り外し可能に固設されるため、利用者はタッチパネル操作を両手で行うことができる。
【００１０】
また、本考案の請求項２の現金自動預け払い機における盗写防止装置によれば、光遮断機能のある透明体を覆体の上面に設けることによりタッチパネル操作を利用者がこの透明体を介して見ることができ、正確なタッチパネルの操作ができる。
【考案を実施するための最良の形態】
【００１１】
以下、本考案の現金自動預け払い機における盗写防止装置の実施の形態を図面を参照して詳述する。
【実施例１】
【００１２】
図１は本考案の現金自動預け払い機５０における盗写防止装置１００の１つの実施例を示す。図示では現金自動預け払い機５０は模式図的のものであり、段部８にはタッチパネル９がほぼ水平面に沿って形成されている。本考案の現金自動預け払い機５０における盗写防止装置１００は大別して覆体１と、スライド体２と、この自走手段３とからなる。なお、覆体１とスライド体２の材質は任意のものでよいが、比較的に硬質の樹脂材が軟量のため望ましい。覆体１は横断面がアーチ状のものからなり、タッチパネル９の形成されている段部８上に着脱可能（又は固定）に設置される。この覆体１はタッチパネル９を完全に覆ったものからなり、タッチパネル９の表面からこの覆体１の裏面までの間隙高さａはタッチパネル９を操作する利用者がタッチ操作し得るだけの比較的低いものからなり、現金自動預け払い機５０の前に利用者が立った状態ではこの間隙ａから外部の人がタッチパネル９を見ることは殆どできない。
【００１３】
一方、スライド体２は図１及び図２に示すように覆体１の表裏面に近接又は当接するスライド板部４，５とスライド板部４及び５を連結する連結板６，７を一体的に形成した板リング状のものからなる。このスライド体２は覆体１の表裏面に近接又は当接した状態でその一端側から他端まで往復動するものであり、後に説明する自走手段３が内設されている。
【００１４】
次に、スライド体２を覆体１に沿って自走させる自走手段３の一例を説明するが自走手段３は以下に説明するものに限定するものではない。
図２は自走手段３の概要を示すものであり、自走手段３は覆体１の内部に収納されスライド体２と連結して配置される。図２においてスライド板部４，５の内の１つのスライド板部（図示ではスライド板部５）に基端側を固定して覆体１内に突出する突出片１０とこれに連結されるタイミングベルト１１とタイミングベルト１１の駆動部１２等とからなる。なお、覆体１の裏面には突出片１０が覆体１内を往復動するための図略のスリットが形成されている。
【００１５】
スリット板部５に固定される突出片１０に連結されるタイミングベルト１１は覆体１内を覆体１のカーブに沿って一端側から他端側に進み、他端側にあるガイドローラ１３に巻回して逆方向に進み覆体１のカーブに沿って戻の一端側に戻り駆動部１２を介して突出片１０に連結される。
【００１６】
図３は駆動部１２まわりの詳細構造を示す。駆動源１２としては駆動モータ１４とこれによって駆動されるタイミングベルト１１を案内するガイドローラ１５，１６，１７が設けられている。タイミングベルト１１は前記のように駆動モータ１４によって移動するタイミングベルトによって突出片１１を移動させるものであり、その結果としてスライド体２を覆体１に沿って往復動させることになる。
また、駆動モータ１４には異常検出部１８が設けられ、移動中におけるスライド体からの異常検出信号（図略）によって駆動モータ１４を停止させる。
【００１７】
次に、本考案の現金自動預け払い機における盗写防止装置の作用を説明する。前記のように覆体１によってタッチパネル９の盗写は防止されるが、覆体１そのものの表裏面に隠しカメラ２０を取り付けるおそれもある。本考案の現金自動預け払い機５０における盗写防止装置１００はこれを防止するものであり、スライド体２がその役目を果す。即ち、覆体１に仮りに隠しカメラ２０が盗写してあってもスライド体２の前記往復動によってもし隠しカメラ２０が存在していた場合はそれがスライド体２にぶつかり、又はスライド体２の近接によりスライド体２側から異常信号が発せられ、異常検出部１８の作動によって駆動モータが停止し、隠しカメラ２０の存在が発見されることになる。
【実施例２】
【００１８】
図４は本考案の現金自動預け払い機５０における盗写防止装置の別の実施例を示す。この現金自動預け払い機５０における盗写防止装置１００ａは実施例１と覆体の構造が異なるがその他の構成要素は現金自動預け払い機５０における盗写防止装置１００とほぼ同一のものからなる。
【００１９】
櫓状の覆体１ａは上面に四角状の枠体２２を有し、枠体２２は４本の支柱２３により支持される。この支柱２３の高さが前記の間隙ａに相当する。
【００２０】
スライド体２ａは枠体２２の表裏面に近接又は当接するスライド板部４ａ５ａを有するその両側は連結板６ａ，７ａにより一体的に連結される。このリング状のスライド体２ａは覆体１ａの枠体２２の一端側から他端側への往復移動する。勿論、このスライド体２ａの内部には実施例１で説明したものとほぼ同様の自走手段が内設されることになる。以上の構造により、実施例１の場合とほぼ同様の盗写防止ができる。
【００２１】
本実施例の場合、枠体２２には透明体２４が設けられている。勿論、実施例１の場合には透明体２４が設けられていてもよい。この透明体２４は窓に相当するもので、ここからタッチパネル９を観察することができ、利用者のタッチ操作を補助することができる。勿論、この透明体２４の存在により透明体２４を介して盗写の危険性があるため、この透明体２４は隠しカメラ２０等の光を通過させない材質又は形状のものからなる。この性質を有する透明体２４は公知技術の応用により容易にできる。
【００２２】
以上の実施例１，２により現金自動預け払い機５０における盗写防止装置１００及び現金自動預け払い機５０における盗写防止装置１００ａを説明したが現金自動預け払い機５０における盗写防止装置においてはこれ等のものに限定するものではなく、同一技術的範疇のものが使用されることは勿論である。また、銀行以外に設置されている現金自動預け払い機５０に適用されることも勿論である。
【産業上の利用可能性】
【００２３】
本考案は現金自動預け払い機に適用されるが、勿論現金自動預け払い機に限定するものではなく、タッチパネルを使用する機器に適用されその利用範囲は広い。
【図面の簡単な説明】
【００２４】
【図１】本考案の現金自動預け払い機における盗写防止装置の一例を示す模式的斜視図。
【図２】本考案の現金自動預け払い機における盗写防止装置における覆体の一例とこれに取り付けられているスライド体及びその駆動部を示す模式的断面図。
【図３】図２における駆動部の詳細構造や自走手段を示す拡大模式的断面図。
【図４】本考案の現金自動預け払い機における盗写防止装置における覆体の別の実施例を示す模式的斜視図。
【図５】（ａ），（ｂ）現金自動預け払い機に設置される隠しカメラ及びこの隠しカメラによるタッチパネルの盗写を防止するための１つの手段を示す模式図。
【符号の説明】
【００２５】
１        覆体
１ａ      覆体
２        スライド体
２ａ      スライド体
３        自走手段
４        スライド板部
４ａ      スライド板部
５        スライド板部
５ａ      スライド板部
６        連結板
６ａ      連結板
７        連結板
７ａ      連結板
８        段部
９        タッチパネル
１０      突出片
１１      タイミングベルト
１２      駆動部
１３      ガイドローラ
１４      駆動モータ
１５      ガイドローラ
１６      ガイドローラ
１７      ガイドローラ
１８      異常検出部
２０      隠しカメラ
２２      枠体
２３      支柱
２４      透明体
５０      現金自動預け払い機
５０ａ    現金自動預け払い機
１００    現金自動預け払い機における盗写防止装置
１００ａ  現金自動預け払い機における盗写防止装置
【図１】
0003128253.tif 000003
【図２】
0003128253.tif 000004
【図３】
0003128253.tif 000005
【図４】
0003128253.tif 000006
【図５】
0003128253.tif 000007